(57)【要約】  温熱治療器が提供される。本発明の実施例に係る温熱治療器は、複数個の貫通ホールが形成され、スキンフォームで構成された第１支持板；第１支持板の一側で第１支持板が露出するように配置されて第１支持板が結合される前面カバー；複数個の貫通ホールにそれぞれ挿入されて固定され、前記第１支持板の外側に一定の高さで突出する複数個の陶磁；複数個の陶磁の一側に配置され、複数個の陶磁を加熱する発熱体；発熱体の一側に配置され、振動子が備えられる第２支持板；および第２支持板の一側に配置され、前面カバーと結合される背面カバー；を含む。
2021514741.tif 000002
【特許請求の範囲】
【請求項１】
複数個の貫通ホールが形成され、スキンフォームで構成された第１支持板；
前記第１支持板の一側で前記第１支持板が露出するように配置され、前記第１支持板が結合される前面カバー；
前記複数個の貫通ホールにそれぞれ挿入されて固定され、前記第１支持板の外側に一定の高さで突出する複数個の陶磁；
前記複数個の陶磁の一側に配置され、前記複数個の陶磁を加熱する発熱体；
前記発熱体の一側に配置され、振動子が備えられる第２支持板；および
前記第２支持板の一側に配置され、前記前面カバーと結合される背面カバー；を含む、温熱治療器。
【請求項２】
前記発熱体は前記複数個の陶磁の下面に接触するように配置され、
前記発熱体は板状または線形で形成され、熱線、アルミニウム発熱体、炭素不織布、コットン網発熱体、および炭素繊維発熱体のうちいずれか一つを含む、請求項１に記載の温熱治療器。
【請求項３】
前記発熱体を支持する発熱体支持部材をさらに含む、請求項１に記載の温熱治療器。
【請求項４】
前記複数個の陶磁それぞれは下側に開放された中空部が備えられる、請求項１に記載の温熱治療器。
【請求項５】
前記陶磁は外周辺に沿って側面に延長形成される突出部が備えられ、
前記第１支持板は前記貫通ホールの内側に前記突出部が挿入される溝部が備えられ、
前記陶磁は前記貫通ホールに締り嵌め方式で挿入固定される、請求項１に記載の温熱治療器。
【請求項６】
前記貫通ホールは腹部のつぼに対応する位置に配置される、請求項１に記載の温熱治療器。
【請求項７】
前記前面カバーおよび前記背面カバーは両側に把持するためのホールが備えられる、請求項１に記載の温熱治療器。
【請求項８】
使用者の腰に装着するための着用ベルトをさらに含み、
前記前面カバーおよび前記背面カバーは両側に前記着用ベルトが着脱可能に挿入される固定溝が備えられる、請求項１に記載の温熱治療器。
【発明の詳細な説明】
【技術分野】
【０００１】
本発明は温熱治療器に関し、特に、振動によるマッサージ機能と共に温熱治療のための温熱機能を具備した温熱治療器に関する。
【背景技術】
【０００２】
マッサージ（ｍａｓｓａｇｅ）は、皮膚や身体の一部に物理的刺激を与えることによって該当部分の生体を活性化させて病気を治療したり、健康を増進させる物理療法中の一つである。特に、人体の腹部に対するマッサージは腸機能の活性化に多いに役立つ。
【０００３】
このような腹部マッサージの場合、筋肉をほぐすためのマッサージ機能だけでは腸機能の活性化が効果的でないため、湿布のための温熱機能がさらに要求されている。
【０００４】
しかし、陶磁に温熱機能を付与する場合、陶磁の結合などの製造工程が複雑であるため多くの時間と費用が必要とされる。特に、マッサージのための振動が付加される場合、振動によって使用中の陶磁が本体から離脱したり振動による騒音が発生して使用者に不便をもたらす。
【発明の概要】
【発明が解決しようとする課題】
【０００５】
前記のような従来技術の問題点を解決するために、本発明の一実施例は差し込み式構造によって製造効率を向上させるとともに、使用中に陶磁の分離を防止し、振動による騒音を低減できる温熱治療器を提供する。
【課題を解決するための手段】
【０００６】
前記のような課題を解決するための本発明の一側面によると、複数個の貫通ホールが形成され、スキンフォームで構成された第１支持板；前記第１支持板の一側で前記第１支持板が露出するように配置され、前記第１支持板が結合される前面カバー；前記複数個の貫通ホールにそれぞれ挿入されて固定され、前記第１支持板の外側に一定の高さで突出する複数個の陶磁；前記複数個の陶磁の一側に配置され、前記複数個の陶磁を加熱する発熱体；前記発熱体の一側に配置され、振動子が備えられる第２支持板；および前記第２支持板の一側に配置され、前記前面カバーと結合される背面カバー；を含む温熱治療器が提供される。
【０００７】
一実施例において、前記発熱体は前記複数個の陶磁の下面に接触するように配置され、前記発熱体は板状または線形で形成され、熱線、アルミニウム発熱体、炭素不織布、コットン網発熱体、および炭素繊維発熱体のうちいずれか一つを含むことができる。
【０００８】
一実施例において、前記温熱治療器は前記発熱体を支持する発熱体支持部材をさらに含むことができる。
【０００９】
一実施例において、前記複数個の陶磁それぞれは下側に開放された中空部が備えられ得る。
【００１０】
一実施例において、前記陶磁は外周辺に沿って側面に延長形成される突出部が備えられ、前記第１支持板は前記貫通ホールの内側に前記突出部が挿入される溝部が備えられ、前記陶磁は前記貫通ホールに締り嵌め方式で挿入固定され得る。
【００１１】
一実施例において、前記貫通ホールは腹部のつぼに対応する位置に配置され得る。
【００１２】
一実施例において、前記前面カバーおよび前記背面カバーは両側に把持するためのホールが備えられ得る。
【００１３】
一実施例において、前記温熱治療器は使用者の腰に装着するための着用ベルトをさらに含み、前記前面カバーおよび前記背面カバーは両側に前記着用ベルトが着脱可能に挿入される固定溝が備えられ得る。
【発明の効果】
【００１４】
本発明の一実施例に係る温熱治療器はスキンフォームを利用して陶磁を差し込み固定することによって、結合構造を単純化させて製造費用および時間を軽減させるとともに製造工程を単純化させて製造効率を向上させることができる。
【００１５】
また、本発明は陶磁を発熱体と直接接触するように配置することによって発熱体から陶磁に熱を効果的に伝達するため、温熱機能のための陶磁の熱効率を改善することができる。
【００１６】
また、本発明は陶磁が腹部のつぼに配置され、一定の高さで形成されることによって、つぼに対する効果的な指圧および温熱の提供によってマッサージ効果を向上させるため、腸運動の活性化を増大させることができる。
【００１７】
また、本発明はスキンフォームに陶磁を差し込み固定することによって、マッサージのためのモータの駆動により陶磁とスキンフォーム間に騒音が発生せず、スキンフォームが振動を吸収するためマッサージ装置の全体的な騒音を軽減させることができる。
【００１８】
また、本発明は人体の腹部に接触される部位をスキンフォームで製作することによって、接触する部位で使用者が柔らかさを感じることができ、革のような高級な外形を提供するので使用者の満足度を向上させることができる。
【図面の簡単な説明】
【００１９】
【図１】本発明の実施例に係る温熱治療器を示した分解斜視図。
【００２０】
【図２】本発明の実施例に係る温熱治療器を概略的に示した平面図。
【００２１】
【図３】図１で前面カバー、第１支持板および陶磁が結合された状態を示した平面図。
【００２２】
【図４】図３で陶磁が挿入される前の状態を示した斜視図。
【００２３】
【図５】発熱体と陶磁の接触状態を示した断面図。
【００２４】
【図６】第１支持板に振動子が備えられた状態を示した斜視図。
【００２５】
【図７】本発明の実施例に係る温熱治療器の他の形態を示した斜視図。
【００２６】
【図８】本発明の実施例に係る温熱治療器のさらに他の形態を示した斜視図。
【発明を実施するための形態】
【００２７】
以下、添付した図面を参照して本発明の実施例について、本発明が属する技術分野で通常の知識を有する者が容易に実施できるように詳細に説明する。本発明は多様な異なる形態で具現され得、ここで説明する実施例に限定されない。図面で本発明を明確に説明するために説明と関わらない部分は省略し、明細書全体を通じて同一または類似する構成要素については同じ参照符号を付した。
【００２８】
以下、図面を参照して本発明の実施例に係る温熱治療器１００をより詳細に説明する。
【００２９】
図１および図２を参照すると、本発明の一実施例に係る温熱治療器１００は前面カバー１１０，第１支持板１２０，陶磁１３０，発熱体１４２，第２支持板１５０，および背面カバー１６０を含む。
【００３０】
前面カバー１１０は、その中央に第１支持板１２０が外部に露出するように配置される露出部１１２が備えられ得る。ここで前面カバー１１０は第１支持板１２０の一側に配置され得る。一例として前面カバー１１０は図１を基準として第１支持板１２０の上側に配置され得る。
【００３１】
また、前面カバー１１０は図３に図示された通り、後面の外周辺に沿って複数個の位置に係止突起１１４が備えられ得る。これによって前面カバー１１０は第１支持板１２０に差し込み結合され得る。
【００３２】
しかし、前面カバー１１０と第１支持板１２０の結合構造はこれに限定されず、多様な形態でなされ得る。一例として、前面カバー１１０と第１支持板１２０はボルト締結、融着、ボンディング、および圧入により結合されてもよい。
【００３３】
第１支持板１２０はスキンフォームで構成され得る。ここでスキンフォームは弾性材質を有し得る。したがって、第１支持板１２０はスキンフォームに限定されず、弾性材質を有する材料で形成され得る。
【００３４】
これによって、温熱治療器１００は後述するように、振動子１７０により振動が発生する場合にも前面カバー１１０，陶磁１３０，および第２支持板１５０の間の摩擦による騒音を低減することができる。
【００３５】
また、第１支持板１２０は使用者の腹部に直接接触する部分であるため、これをスキンフォームで製作することによって使用者に柔らかさを提供することができる。また、外部に露出する第１支持板１２０がスキンフォームで構成されるため、革のような高級な外形を提供して使用者の満足度を向上させることができる。
【００３６】
また、第１支持板１２０は複数個の貫通ホール１２２が形成され得る。ここで、複数個の貫通ホール１２２は腹部のつぼに対応する位置に配置され得る。この時、貫通ホール１２２は第１支持板１２０の全体にわたって規則的にまたは不規則的に分散配置され得る。
【００３７】
貫通ホール１２２は図４および図５に図示された通り、その内側に陶磁１３０の突出部１３２が挿入される溝部１２８が備えられ得る。このような貫通ホール１２２は陶磁１３０の下端部の直径と実質的に同一に備えられ得る。これによって陶磁１３０は貫通ホール１２２に締り嵌め方式で結合され得る。
【００３８】
また、第１支持板１２０は外周辺に沿って段差部１２４が備えられ得る。この段差部１２４には前面カバー１１０が係止突起１１４が備えられた部分が装着され得る。ここで、段差部１２４は第１支持板１２０の中央部より小さい厚さで備えられ得る。
【００３９】
また、第１支持板１２０は図１および図３に図示された通り、外周辺に沿って前面カバー１１０の係止突起１１４に対応する係止溝１２６が備えられ得る。このような係止溝１２６は段差部１２４に備えられ得る。
【００４０】
陶磁１３０は遠赤外線の放射、免疫力の向上または電磁波の遮断などの多様な機能性を提供できる材質で構成され得る。また、陶磁１３０は発熱体１４２の熱を効果的に人体に伝達できるように、熱伝導率が優秀な材質で構成され得る。
【００４１】
ここで、陶磁１３０の形状は特に限定されないが、振動子１７０の振動によって振動する時に人体に接した端部が人体に均一に振動を与えることができるように、端部が球状であることが好ましい。
【００４２】
この時、陶磁１３０は第１支持板１２０の外側に突出するように一定の高さで形成され得る。ここで、一定の高さは使用者の腹部を指圧するのに適当な高さであり得る。すなわち、陶磁１３０は一定の高さを有する円筒形であり、その上端部はドームの形態に膨らんで形成され得る。
【００４３】
これによって、陶磁１３０が人体に接触する場合、振動子１７０による振動がより効果的に人体に伝達され得る。
【００４４】
また、陶磁１３０は複数個で備えられて第１支持板１２０の複数個の貫通ホール１２２にそれぞれ挿入されて固定され得る。
【００４５】
陶磁１３０は図１および図５に図示された通り、外周辺に沿って側面に延長形成される突出部１３２が備えられ得る。このような突出部１３２は第１支持板１２０の溝部１２８に装着され得る。ここで、陶磁１３０は突出部１３２の真上部分の直径が貫通ホール１２２の直径と実質的に同じ直径を有することができる。これによって陶磁１３０は貫通ホール１２２に締り嵌め方式で挿入固定され得る。
【００４６】
また、陶磁１３０の突出部１３２が第１支持板１２０の溝部１２８により固定されるため、温熱治療器１００が振動しても陶磁１３０が第１支持板１２０の外部に離脱せずに安全に動作することができる。
【００４７】
この時、陶磁１３０の下面は図３および図５に図示された通り、下側に開放された中空部１３４が備えられ得る。すなわち、陶磁１３０は一定の厚さを有し、中央が空いているドームの形態で形成され得る。
【００４８】
これによって、発熱体から熱が伝達される場合、中実の陶磁に比べて陶磁１３０はその表面に沿って熱が迅速に伝達されるので陶磁１３０の熱効率を改善することができる。また、陶磁１３０は中空部に対応する不要な材料の損失を防止して製造費用を節減することができる。
【００４９】
このように、前面カバー１１０，第１支持板１２０および陶磁１３０が差し込み方式でそれぞれ結合されるため、製造工程が単純化し、従来のように接着剤の硬化のために所要される時間が不要であるため製造時間が短縮し得る。したがって、本発明の実施例に係る温熱治療器１００は製造効率を向上させることができる。
【００５０】
発熱体１４２は、図１を基準として複数個の陶磁１３０の下側に配置され得る。このような発熱体１４２は複数個の陶磁１３０を加熱する。ここで発熱体１４２は発熱体支持部材１４０上にまたは第２支持板１５０上に配置され得る。この時、発熱体支持部材１４０は発熱体１４２を支持し、その材質に特に限定されない。
【００５１】
発熱体１４２は図１および図５に図示された通り、複数個の陶磁１３０の下面に接触するように配置され得る。すなわち、発熱体１４２は陶磁１３０の突出部１３２の下面に直接接触するように配置され得る。
【００５２】
ここで、発熱体１４２は一体に形成された線形に形成され得る。一例として、発熱体１４２は熱線であって、陶磁１３０の下面を通るようにジグザグの形態で配置され得る。すなわち発熱体１４２は図１に図示された通り、発熱体支持部材１４０の一側から他側に進行しながら側面に向かってジグザグの形態で配置され得る。
【００５３】
しかし、発熱体１４２は線形に限定されず、板状に形成されてもよい。この時、発熱体１４２はアルミニウム発熱体、炭素不織布、コットン網発熱体、および炭素繊維発熱体を含むことができる。
【００５４】
これによって、発熱体１４２から発生した熱が陶磁１３０に効率的に伝達され得る。したがって、温熱治療器１００は温熱機能のための陶磁の熱効率を改善することができる。
【００５５】
併せて、陶磁１３０の振動による指圧と発熱体１４２の発熱による温熱を同時に提供することによって、温熱治療器１００は腸運動の活性化を効果的に増大させることができる。
【００５６】
第２支持板１５０は、図１を基準として発熱体支持部材１４０の下側に配置され得る。ここで第２支持板１５０は、その上面に発熱体支持部材１４０が配置され、下面に振動子１７０および回路部１８０が備えられ得る。
【００５７】
振動子１７０は図６に図示された通り、第２支持板１５０の下面に配置され得る。すなわち、振動子１７０は第２支持板１５０と背面カバー１６０の間に配置され得る。
【００５８】
振動子１７０はモータ１７２および振動体１７４を含む。ここでモータ１７２と振動体１７４はプーリー１７８およびベルト１７９に連結され得る。したがって、モータ１７２の回転により振動体１７４が偏心回転することによって温熱治療器１００は振動を発生させることができる。
【００５９】
振動体１７４は偏心された回転軸を有する半円柱状の偏心振動体であり得る。ここで振動体１７４の回転軸は振動体１７４の両側に備えられた支持台１７６により支持され得る。
【００６０】
また、振動子１７０は２個で備えられ、互いに垂直に作動するように配置され得る。一例として、図６において、左側に配置された振動子１７０は第２支持板１５０の長さ方向に振動し、右側に配置された振動子１７０は第２支持板１５０の幅方向に振動するように配置され得る。
【００６１】
この時、第２支持板１５０の長さ方向および幅方向の順序を制御することによって、多様なパターンの運動方向を具現することができる。
【００６２】
回路部１８０は、モータ１７２に電源を供給するための電源供給部および温熱治療器１００の動作を制御する制御部を含むことができる。図面に図示してはいないが、温熱治療器１００の動作のために使用者が操作する操作部が回路部１８０に備えられたり背面カバーに備えられて回路部１８０に連結され得る。ここで、前記操作部は電源のオン／オフ、温度設定、モード設定、および強度設定のための選択部を含むことができる。
【００６３】
また、回路部１８０はリモコンのような外部の機器と通信する通信部を含むことができる。この時、前記外部機器は前記操作部の選択機能を含むことができる。
【００６４】
背面カバー１６０は図１を基準として第２支持板１５０の下側に配置され得る。このような背面カバー１６０は、第２支持板１５０との間に振動子１７０が備えられる空間が形成される形状を有することができる。ここで、背面カバー１６０は前面カバー１１０と差し込み方式で結合され得る。
【００６５】
一方、温熱治療器１００は使用者の腹部に配置された状態を一定時間動作するため、使用者が温熱治療器１００を把持できるように提供することが好ましい。
【００６６】
図７に図示された通り、温熱治療器２００は前面カバー２１０および背面カバー２６０の両側に使用者が把持するためのホール２０２が備えられ得る。
【００６７】
これによって、使用者はホール２０２を通じて両手で把持して所望の腹部の部位に温熱治療器２００を配置させた状態でマッサージを実行することができる。したがって、使用者は温熱治療器２００を容易に把持することができる。
【００６８】
図８に図示された通り、温熱治療器３００は使用者の腰に装着するための着用ベルト３９０をさらに含むことができる。ここで、着用ベルト３９０はベルトの長さを調整するための調整手段３９２および固定溝３０２に挿入されて固定される差し込み部３９４を含むことができる。
【００６９】
このために、温熱治療器３００は前面カバー３１０と背面カバー３６０の両側に着用ベルト３９０が着脱可能に挿入される固定溝３０２が備えられ得る。
【００７０】
一方、使用者の便宜をさらに向上させるために、図７に図示されたような把持のためのホール２０２と図８に図示されたような着用ベルト３９０を共に具備してもよいことは言うまでもない。
【００７１】
このような構成によって、本発明の実施例に係る温熱治療器１００，２００，３００は結合構造を単純化させて製造費用および時間を軽減させるとともに、製造工程を単純化させて製造効率を向上させることができる。
【００７２】
また、本発明の実施例に係る温熱治療器１００，２００，３００は発熱体から陶磁に熱を効果的に伝達するので、温熱機能のための陶磁の熱効率を改善することができる。
【００７３】
また、本発明の実施例に係る温熱治療器１００，２００，３００は、つぼに対する効果的な指圧および温熱の提供によってマッサージ効果を向上させるため、腸運動の活性化を増大させることができる。
【００７４】
また、本発明の実施例に係る温熱治療器１００，２００，３００は、マッサージのためのモータの駆動により陶磁とスキンフォーム間に騒音が発生せず、スキンフォームが振動を吸収するためマッサージ装置の全体的な騒音を軽減させることができる。
【００７５】
また、本発明の実施例に係る温熱治療器１００，２００，３００は接触する部位で使用者が柔らかさを感じることができ、革のような高級な外形を提供するので使用者の満足度を向上させることができる。
【００７６】
以上、本発明の一実施例について説明したが、本発明の思想は本明細書に提示される実施例に制限されず、本発明の思想を理解する当業者は同一思想の範囲内で、構成要素の付加、変更、削除、追加などによって他の実施例を容易に提案することができ、これも本発明の思想範囲内に含まれるものと言える。
【図１】
2021514741.tif 000003
【図２】
2021514741.tif 000004
【図３】
2021514741.tif 000005
【図４】
2021514741.tif 000006
【図５】
2021514741.tif 000007
【図６】
2021514741.tif 000008
【図７】
2021514741.tif 000009
【図８】
2021514741.tif 000010
【国際調査報告】
2021514741.tif 000011
2021514741.tif 000012
2021514741.tif 000013
2021514741.tif 000014